(57)【特許請求の範囲】
【請求項１】
加工槽内の加工液の温度をパワーＯＮ／ＯＦＦにより制御する温度制御装置を備え、前記加工液中で電極と被加工物とを駆動手段により相対移動させながら、前記電極と前記被加工物との極間に加工電力を供給して、放電エネルギにより前記被加工物の加工を行う放電加工装置において、
前記温度制御装置のパワーＯＮ／ＯＦＦ信号に対応して、機械本体の熱変位を打ち消す方向に前記駆動手段を動作させる制御手段を備えたことを特徴とする放電加工装置。
【請求項２】
加工槽内の加工液の温度をパワーＯＮ／ＯＦＦにより制御する温度制御装置を備え、前記加工液中で電極と被加工物とを駆動手段により相対移動させながら、前記電極と前記被加工物との極間に加工電力を供給して、放電エネルギにより前記被加工物の加工を行う放電加工装置において、
前記温度制御装置のパワーＯＮ／ＯＦＦ信号に対応して、機械本体の熱変位を打ち消す方向の補正量を演算し、この補正量分の軸送り動作指令を前記駆動手段に送る制御手段を備えたことを特徴とする放電加工装置。
【請求項３】
パワーＯＮ／ＯＦＦ信号の切換え検出後、所定の補正継続時間はパワーＯＮ／ＯＦＦ信号の切換え変化前の補正を維持し、該補正時間継続時間経過後に補正を行うことを特徴とする請求項２に記載の放電加工装置。
【請求項４】
機械本体の熱変位を打ち消す方向の補正量に、補正がかかりすぎないように制限をかけることを特徴とする請求項２，３に記載の放電加工装置。
【発明の詳細な説明】
【０００１】
【発明の属する技術分野】
この発明は、加工液中で電極と被加工物とを相対移動させながら、前記電極と前記被加工物との極間に加工電力を供給して、放電エネルギにより前記被加工物の加工を行う放電加工装置の改良に関するものである。
【０００２】
【従来の技術】
放電加工装置においては、加工槽内の加工液中において電極により被加工物を加工する際、周囲温度の変化及び放電加工装置本体の加工中における温度上昇等により加工液の温度変化が生じ、この結果、電極と被加工物との相対位置が変化し加工精度が低下する。したがって、前記加工液の温度を所定の基準温度（目標温度）に近づけるように、パワーＯＮ／ＯＦＦ制御を行う温度制御装置が一般的に用いられている。
【０００３】
【発明が解決しようとする課題】
しかしながら、前記温度制御装置は、目標温度よりも加工液の温度が上昇した時にパワーをＯＮとして送風を行い加工液の温度を低下させ、目標温度よりも加工液の温度が低下した時にパワーをＯＦＦとして送風を停止させて加工液の温度を上昇させるように制御されるため、加工液の温度は目標温度付近を上下しながら変動することになる。したがって、温度制御装置の能力が低ければ低いほど、加工液の温度変化により放電加工装置の機械本体の熱変位が生じ、加工精度が低下するという問題点があった。また、温度制御装置の能力を上げた場合においても加工液の温度変化は生じるため、機械本体の熱変位が生じると共にコストが増大するという問題点があった。
【０００４】
特に、最近の放電加工の高精度化ニーズの増大に伴い、前記のような加工液の温度変化に起因する加工精度低下を抑制する必要がある。
【０００５】
この発明は、前記のような課題を解決するためになされたものであり、加工液の温度変化による機械本体の熱変位による軸変位の補正を効果的に行うことができ、加工精度を向上することができる放電加工装置を得ることを目的とする。
【０００６】
【課題を解決するための手段】
この発明に係る放電加工装置は、加工槽内の加工液の温度をパワーＯＮ／ＯＦＦにより制御する温度制御装置を備え、前記加工液中で電極と被加工物とを駆動手段により相対移動させながら、前記電極と前記被加工物との極間に加工電力を供給して、放電エネルギにより前記被加工物の加工を行う放電加工装置において、前記温度制御装置のパワーＯＮ／ＯＦＦに伴う前記加工液の温度変化により生じる機械本体の熱変位を打ち消す方向に前記駆動手段を動作させる制御手段を備えたものである。
【０００７】
また、この発明に係る放電加工装置は、加工槽内の加工液の温度をパワーＯＮ／ＯＦＦにより制御する温度制御装置を備え、前記加工液中で電極と被加工物とを駆動手段により相対移動させながら、前記電極と前記被加工物との極間に加工電力を供給して、放電エネルギにより前記被加工物の加工を行う放電加工装置において、前記温度制御装置のパワーＯＮ／ＯＦＦ信号に対応して、機械本体の熱変位を打ち消す方向の補正量を演算し、この補正量分の軸送り動作指令を前記駆動手段に送る制御手段を備えたものである。
【０００８】
【発明の実施の形態】
以下、この発明に係る放電加工装置として形彫放電加工装置を例にとり、図面を参照して説明する。図１は、形彫放電加工装置の構成例を示す説明図であり、図において、１はベッド、２はラム、３はヘッド、３ａはヘッドベース、４は定盤、５は加工槽、６は加工液タンク、７は温度制御装置、８は加工用電源、９は自動工具交換装置、１０はキャビン、１１は制御手段である。
【０００９】
図１の形彫放電加工装置は、ベッド１、ラム２、ヘッド３及びヘッドベース３ａの主要構造物で構成されており、キャビン１０に覆われた構造となっている。ベッド１上面の図示しないガイドにより、ラム２はＹ軸方向に位置決め可能に配設され、ラム２の図示しないガイドにより、ヘッドベース３ａがＸ軸方向に位置決め可能に配設され、ヘッドベース３ａの図示しないガイドにより、ヘッド３がＺ軸方向に位置決め可能に配設されている。
【００１０】
ヘッド３の先端には図示しない電極が取り付けられ、加工槽５中の定盤４には図示しない被加工物が載置され、固定される。加工槽５には加工液タンク６に貯められた図示しない加工液が図示しないポンプにより供給される。前記加工液は、加工槽５と加工液タンク６を循環している。前記加工液の温度は、加工中の発熱による変動を抑制するために、温度制御装置７によるパワーＯＮ／ＯＦＦ制御により、目標温度に近づけるように制御される。
【００１１】
Ｘ軸、Ｙ軸及びＺ軸の軸送りは、各々図示しないリニアモータ等の駆動手段によって行われる。機械本体に隣接した制御手段１１からの指令により各軸の位置決め制御が行われ、ヘッド３に取り付けられた電極と定盤４上に固定された被加工物との相対位置決めが行われる。
【００１２】
前記被加工物の加工は、制御手段１１により前記駆動手段の位置決め制御を行いながら、加工槽５内の加工液中において、前記電極と前記被加工物との極間に電源８から電流パルスエネルギを供給し、前記加工液を介して前記極間に放電を発生させることにより行われる。
【００１３】
図２は、この発明の実施の形態に係る放電加工装置における加工液の温度変化に基づく軸変位補正制御を示すブロック線図であり、図において、７はパワーＯＮ／ＯＦＦ動作により加工液の温度制御を行う温度制御装置、１１は制御手段、１２は信号受信部、１３は補正量演算部、１４はアンプ出力指令部、１５はリニアモータ等の駆動手段である。制御手段１１は、前記のように電極と被加工物との相対位置決め制御及び電源８の制御等も行うが、図２には加工液の温度変化に基づく軸変位の補正制御を行う部分のみを示している。
【００１４】
温度制御装置７のパワーＯＮ／ＯＦＦ信号は、制御手段１１内の信号受信部１２に送られる。信号受信部１２の受信信号のＯＮ／ＯＦＦに応じて、補正量演算部１３が補正量を演算し、この補正量がアンプ出力指令部１４に送られ、アンプ出力指令部１４は補正量分の軸送りするように駆動手段１５に指令を行う。
【００１５】
図３は、放電加工装置の動作中における温度制御装置７のパワーＯＮ／ＯＦＦ動作に伴う軸変位の測定結果を示したものであり、図において、（ａ）は温度制御装置７のパワーＯＮ／ＯＦＦ信号、（ｂ）は加工液の温度、（ｃ）はＺ軸の軸変位を表わしている。Ｚ軸の軸変位は、棒の先端に球の付いた基準ピンを電極側と定盤中央に対向するように取り付け、両先端を一定時間毎に接触させて相対位置を測定している。図３より、温度制御装置７のパワーＯＮ／ＯＦＦ信号の変化に対応して加工液の温度が変化し、この加工液の温度変化に対応してＺ軸の軸変位が生じることがわかる。また、加工液の温度波形（ｂ）及びＺ軸の軸変位波形（ｃ）は、略同様の傾向であることがわかる。
【００１６】
図４は、この発明の実施の形態に係る放電加工装置における加工液の温度変化に基づく軸変位補正制御の動作例を示すタイミングチャートであり、図２の制御手段１１中の補正量演算部１３による補正量の演算動作を示している。図４において、ｔ１及びｔ２は待ち時間、ｔ３及びｔ４は補正継続時間、ｋ１は補正量上昇時の補正量の傾き、ｋ２は補正量減少時の補正量の傾きである。また、Ｐは最大補正量であり、補正がかかり過ぎないように制限をかける場合等に適宜設定する。
【００１７】
補正量は、直線の連続として近似し、加工液の温度変化による軸変位（例えば図３の（ｃ）のＺ軸の軸変位）を補正するように、前記軸変位と逆方向に与える。例えば以下の（１）〜（３）のように補正量を設定する。
（１）温度制御装置７の信号がＯＦＦからＯＮに変化した場合
温度制御装置７の信号がＯＦＦからＯＮに切り替わってから補正継続時間ｔ３が経過するまでは信号変化直前の補正をかけ続ける。補正継続時間ｔ３経過後からさらに待ち時間ｔ１経過後に補正をかけはじめ、その補正量は傾きｋ１で増加させる。補正量が最大補正量Ｐに到達した場合は最大補正量Ｐを維持する。
（２）温度制御装置７の信号がＯＮからＯＦＦに変化した場合
温度制御装置７の信号がＯＮからＯＦＦに切り替わってから補正継続時間ｔ４が経過するまでは信号変化直前の補正をかけ続ける。補正継続時間ｔ４経過後からさらに待ち時間ｔ２経過後に傾きｋ２で補正量を減少させる。補正量が０に到達した場合は０を維持する。
（３）補正のタイミングに狂いが生じた場合
温度制御装置７の信号がＯＦＦからＯＮに変化後、補正継続時間ｔ３中に温度制御装置７の信号がＯＮからＯＦＦに変化した場合は、そこから補正継続時間ｔ４に入り傾きｋ１で補正量を増加させる（図４の（ａ）の▲１▼参照）。このような補正継続時間中に温度制御装置７の信号変化がある場合と同様に、補正継続時間ｔ３経過後の待ち時間ｔ１中に温度制御装置７の信号が変化した場合も、この信号変化後の補正継続時間ｔ４において傾きｋ１で補正量を増加させる（図４の（ａ）の▲２▼参照）。
【００１８】
以上の説明における待ち時間ｔ１及びｔ２は、ｔ１及びｔ２開始時の値を継続する。補正継続時間ｔ３は、ｔ３開始時の補正量の傾き（ｋ２）を継続し、補正量が０になれば０を継続する。また、ｔ３開始時に補正量が０である場合は０を継続する。補正継続時間ｔ４は、ｔ４開始時の補正量の傾き（ｋ１）を継続し、補正量が最大補正量ＰになればＰを継続する。また、ｔ４開始時に補正量が最大補正量Ｐである場合はＰを継続する。
【００１９】
図３のように、軸変位は加工液の温度変化に対応して生じ、この加工液の温度変化は温度制御装置７のパワーＯＮ／ＯＦＦ信号に対応する。したがって、軸変位は温度制御装置７のパワーＯＮ／ＯＦＦ信号に対応して生じる。実験により、温度制御装置７のパワーＯＮ／ＯＦＦ信号のタイミングと軸変位を測定し、この軸変位を直線の連続と近似して、図２の制御手段１１の補正量演算部１３の補正量の演算に用いるパラメータである、図４の待ち時間ｔ１及びｔ２、補正継続時間ｔ３及びｔ４、補正量の傾きｋ１及びｋ２を決定することができる。
【００２０】
図５は、この発明の実施の形態に係る放電加工装置の軸変位の測定結果の一例を示す図であり、曲線ｂは加工液の温度、曲線ｃはこの発明に係る補正を行わない場合のＺ軸の軸変位、曲線ｄは補正量、曲線ｅはこの発明に係る補正を行った場合のＺ軸の軸変位である。
【００２１】
補正を行わない場合のＺ軸の軸変位（曲線ｃ）に対して、補正量（曲線ｄ）は逆方向に略同様の波形となっている。したがって、この発明に係る補正を行った場合のＺ軸の軸変位（曲線ｅ）は、補正を行わない場合のＺ軸の軸変位（曲線ｃ）に比べ、大幅に低減されている。
【００２２】
以上のように、この発明に係る実施の形態は、温度制御装置７のパワーＯＮ／ＯＦＦ信号に対応して、機械本体の熱変位を打ち消す方向の補正量を演算し、この補正量分の軸送り動作指令を駆動手段１５に送る制御手段１１を備えたものであり、加工液の温度変化により生じる機械本体の熱変位の補正を、特別な装置を必要とせずに容易に、かつ、効果的に行うことができる。
【００２３】
【発明の効果】
この発明に係る放電加工装置は、以上説明したように構成されているので、加工液の温度変化による機械本体の熱変位による軸変位の補正を効果的に行うことができ、加工精度を向上することができるという効果を奏する。
【図面の簡単な説明】
【図１】  放電加工装置の例として示す形彫放電加工装置の構成例を示す説明図である。
【図２】  この発明の実施の形態に係る放電加工装置における加工液の温度変化に基づく軸変位補正制御を示すブロック線図である。
【図３】  放電加工装置の動作中における温度制御装置７のパワーＯＮ／ＯＦＦ動作に伴う軸変位測定結果結果を示す図である。
【図４】  この発明の実施の形態に係る放電加工装置における加工液の温度変化に基づく軸変位補正制御の動作例を示すタイミングチャートである。
【図５】  この発明の実施の形態に係る放電加工装置の軸変位の測定結果の一例を示す図である。
【符号の説明】
１  ベッド、２  ラム、３  ヘッド、３ａ  ヘッドベース、４  定盤、５  加工槽、６  加工液タンク、７  温度制御装置、８  加工用電源、９  自動工具交換装置、１０  キャビン、１１  制御手段、１２  信号受信部、１３  補正量演算部、１４  アンプ出力指令部、１５  駆動手段。
【図１】
0004904654.tif 000002
【図２】
0004904654.tif 000003
【図３】
0004904654.tif 000004
【図４】
0004904654.tif 000005
【図５】
0004904654.tif 000006